(57)【要約】【課題】梁を柱に取り付ける前に柱の外側に養生ネットを架設する方法であって、より作業が簡易で、柱の間隔が広い場合でも自重による垂れ下がりを生じることなく、良好に養生ネットを架設する方法を提供する【解決手段】２本の支持材２，３を連結材４で連結してなるネット治具１の、支持材３に取り付けられたＣリング５に養生ネットの一端を取り付けて、該ネット治具１をクレーンで吊り上げ、柱の上端に取り付けられたブラケットに該ネット治具１を取り付けることによって、柱に梁を取り付ける前に作業領域の周囲に養生ネットを架設する。【選択図】図１
2018131759.tif 000002
【特許請求の範囲】
【請求項１】
長尺のネット治具の長手方向にそって前記ネット治具に養生ネットの一端を取り付ける工程と、
建て込み前の柱の長手方向の一端にブラケットを取り付ける工程と、
前記ブラケットを取り付けた前記柱を、前記ブラケットが上端側に位置するように建て込む工程と、
前記養生ネットを取り付けた前記ネット治具を、長手方向が水平になるようにクレーンで吊り上げ、前記ネット治具の両端をそれぞれ前記柱の上端に取り付けられた前記ブラケットに取り付ける工程と、
を有することを特徴とする養生ネットの架設方法。
【請求項２】
請求項１に記載の養生ネットの架設方法に用いられるネット治具であって、
所定の距離を介して互いに平行な２本の棒状の支持材と、
前記支持材の両端部及び前記両端部間の少なくとも１箇所に取り付けられた、前記２本の支持材を互いに連結する連結材と、
を有することを特徴とするネット治具。
【請求項３】
長手方向の両端部に、前記長手方向に直交する面を有する連結板が取り付けられていることを特徴とする請求項２に記載のネット治具。
【請求項４】
前記２本の支持材の一方が単管パイプ、他方が角管であり、前記角管の両側面の少なくとも一側面に、長手方向に沿って複数箇所、前記養生ネットの取り付け金具が取り付けられていることを特徴とする請求項２又は３に記載のネット治具。
【発明の詳細な説明】
【技術分野】
【０００１】
本発明は、高層ビルの建築時の養生ネットの架設方法と、該架設方法に用いられるネット治具に関する。
【背景技術】
【０００２】
高層ビルの建設工事における災害事例の要因の一つが、ボルトやナットなどの部品の「飛来落下」である。
【０００３】
高層ビルは主にＳ造、即ち鉄骨構造であり、鉄骨躯体を構築する建方作業としては、通常、複数階分の長さを有する柱を建て込んだ後に、柱と柱を繋いで梁を取り付けている。ここで、敷地に余裕が有る場合には、予め周囲に外部足場を立ち上げて該外部足場に養生ネットを取り付け、該養生ネットで周囲を囲まれた状態で建方作業を行うことができるため、建方作業中に飛来落下を生じても事故につながるおそれはない。
【０００４】
しかしながら、都市部などの敷地に余裕がない場合には、外部足場の無い状態で柱を建て込み、該柱に梁を取り付けた後で、該柱や梁の外側に養生ネットを取り付けている。ここで、柱の建て込み作業は、ほとんどが安全な作業床上での柱脚周りの作業であるため、飛来落下の危険性は低い。しかしながら、柱に梁を取り付ける作業は、作業床から上方に離れた状態での作業であるため、飛来落下による事故の危険性が高く、これを防止する対策が要望されていた。
【０００５】
特許文献１，２には、建方作業時の飛来落下による事故の発生を防止するため、柱に梁を取り付ける前に養生ネットを架設しうる方法が開示されている。
【０００６】
具体的には、特許文献１には、柱の上端に、該柱を中心に左右に開く開閉杆を取り付け、該開閉杆に養生ネットを取り付けた状態で該柱を建て込み、その後、該開閉杆を左右に開くことによって、養生ネットを張設する方法が開示されている。
【０００７】
また、特許文献２には、柱の上端に取り付けたアイボルトにガイドロープを通してその両端を柱の下端に固定した状態で該柱を建て込み、その後、ガイドロープの一端に養生ネットを取り付けて他端を引っ張ることにより、養生ネットを柱の上端まで引き上げて柱と柱の間に養生ネットを架設する方法が開示されている。
【０００８】
特許文献１，２に開示された方法を用いれば、作業領域の周囲を養生ネットで囲んだ状態で柱に梁を取り付けることができるため、梁の取り付け作業時に飛来落下を生じても、事故の発生を防止することができる。
【先行技術文献】
【特許文献】
【０００９】
【特許文献１】特開平８−１２０９４２号公報
【特許文献２】特開２００４−１６９４８４号公報
【発明の概要】
【発明が解決しようとする課題】
【００１０】
高層ビルの建設に用いられる養生ネットは、柱の長さに応じて複数階分の長さを有するため、かなりの重量を有するものとなっている。特許文献１に開示された方法では、柱に取り付けた開閉杆を自由端が下方に向いた状態から水平方向に向いた状態になるまで、該開閉杆を開くことで、該開閉杆に取り付けられた養生ネットが張設されるが、養生ネットの重量に耐えうる開閉杆の長さには限界があり、柱と柱の間隔が広すぎる場合には、養生ネットが重くなり過ぎて、係る方法をとることができない。また、柱には、開閉杆と共に該開閉杆を開くための原動機なども取り付けられており、これら部材を柱に取り付ける作業、及び、養生ネットの張設後にこれら部材を柱から取り外す作業が繁雑である。
【００１１】
また、特許文献２に開示された方法は、養生ネットの上端の左右をガイドロープで吊り上げるだけであるため、養生ネットの水平方向中央部が自重で下方に垂れ下がってしまう。そのため、係る方法においても、柱と柱の間隔が広すぎる場合には適していない。
【００１２】
本発明の課題は、梁を柱に取り付ける前に柱の外側に養生ネットを架設する方法であって、より作業が簡易で、柱の間隔が広い場合でも自重による垂れ下がりを生じることなく、良好に養生ネットを架設する方法を提供することにある。
【課題を解決するための手段】
【００１３】
本発明の第一は、長尺のネット治具の長手方向にそって前記ネット治具に養生ネットの一端を取り付ける工程と、
建て込み前の柱の長手方向の一端にブラケットを取り付ける工程と、
前記ブラケットを取り付けた前記柱を、前記ブラケットが上端側に位置するように建て込む工程と、
前記養生ネットを取り付けた前記ネット治具を、長手方向が水平になるようにクレーンで吊り上げ、前記ネット治具の両端をそれぞれ前記柱の上端に取り付けられた前記ブラケットに取り付ける工程と、
を有することを特徴とする養生ネットの架設方法である。
【００１４】
本発明の第二は、上記本発明の養生ネットの架設方法に用いられるネット治具であって、
所定の距離を介して互いに平行な２本の棒状の支持材と、
前記支持材の両端部及び前記両端部間の少なくとも１箇所に取り付けられた、前記２本の支持材を互いに連結する連結材と、
を有することを特徴とするネット治具である。
【００１５】
上記本発明のネット治具においては、下記の構成を好ましい態様として含む。
長手方向の両端部に、前記長手方向に直交する面を有する連結板が取り付けられていること。
前記２本の支持材の一方が単管パイプ、他方が角管であり、前記角管の両側面の少なくとも一側面に、長手方向に沿って複数箇所、前記養生ネットの取り付け金具が取り付けられていること。
【発明の効果】
【００１６】
本発明によると、養生ネットをネット治具に取り付け、該ネット治具を柱に取り付けるため、柱の間隔が広い場合であっても養生ネットが自重で垂れ下がることがなく、良好に架設することができ、ネット治具を柱に取り付ける作業及び取り外す作業も簡易である。
【００１７】
また、本発明のネット治具は、２本の支持材と連結材とで構成されており、強度に富む上に軽量であるため、取り扱いが容易で、幅の広い養生ネットの重量にも耐えることができる。また、両端に連結板を設けることで柱の間隔に合わせて容易に延長することができるため、従来よりも柱と柱の間隔が広い場合にも対応することができる。
【００１８】
よって、本発明によれば、柱の間隔が広い場合であっても、簡易な作業で良好に養生ネットを架設し、建方作業における飛来落下による事故の発生を防止することができる。
【図面の簡単な説明】
【００１９】
【図１】本発明のネット治具の一実施形態の構成の模式図である。
【図２】図１のネット治具のＡで示される部位を切り出した状態の斜視図である。
【図３】図１のネット治具のＢで示される部位を切り出した状態の斜視図である。
【図４】図１のネット治具のＣ−Ｃ’部位の断面模式図である。
【図５】本発明の養生ネットの架設方法に係る、ブラケットを取り付けた状態の建て込み前の柱を示す模式図である。
【図６】図５中の、ブラケットを取り付けた部位の拡大図、及び、ブラケットを取り付けた側から柱を見た図である。
【図７】ブラケットを取り付けた柱を、下層の柱の上端に接続した状態を示す模式図である。
【図８】図１〜図３に例示したネット治具に養生ネットを取り付け、クレーンで吊り上げた状態を示す模式図である。
【図９】柱の上端に取り付けたブラケットに、養生ネットを取り付けたネット治具を取り付けた状態を示す模式図である。
【図１０】養生ネットの上端を、ネット治具から仮設の手すりに付け替えた状態を示す模式図である。
【発明を実施するための形態】
【００２０】
以下、図面を用いて本発明の構成を詳細に説明する。
【００２１】
先ず、本発明の養生ネットの架設方法に用いられる、本発明のネット治具について説明する。
【００２２】
図１は、本発明のネット治具の好ましい実施形態の構成を模式的に示す図である。本発明のネット治具１は、図１に示すように、所定の距離を介して互いに平行な２本の棒状の支持材２，３と、該支持材２，３の両端部及び該両端部間の少なくとも１箇所に取り付けられた連結材４とを備えている。連結材４は、支持材２と３とを連結する部材であり、係る連結材４を用いることで、支持材２，３間の間隔を等しく維持し、ネット治具１のねじれや支持材２，３の撓みを防止することができる。また、支持材２はクレーンで吊り上げる際にシャックルを取り付ける部材であり、支持材３は養生ネットを取り付ける部材である。よって、連結材４は、支持材２，３の長手方向に所定の間隔をおいて取り付けられ、隣接する連結材４間の間隙を利用して、支持材２にはシャックルが取り付けられる。支持材２，３の長手方向における連結材４の取り付けピッチＰは、ネット治具１の強度が部分的に低くならないように、ネット治具１内で等しいことが好ましい。
【００２３】
本発明において、図２、図３は、図１中のＡ、Ｂでそれぞれ示される部位を切り出した状態での斜視図である。また、図４は、図１中のＣ−Ｃ’断面図である。
【００２４】
本発明において、支持材２としては、単管クランプによってブラケットに容易に取り付けることができることから、断面が円形で、一般に外部足場の構築に用いられる単管パイプが好ましく用いられる。単管パイプとしては、例えば外径が４２．７ｍｍ、厚さが１．６ｍｍの円筒状の単管パイプが挙げられる。また、支持材３には養生ネットを取り付けるための取り付け金具が取り付けられていることが好ましく、該取り付け金具を取り付ける上で、支持材３としては角管が好ましい。また、角管を用いることで、ネット治具１の強度も向上する。角管としては、例えば、外周の１辺が６０ｍｍ、厚さが１．２ｍｍ、断面が正方形の角管が挙げられる。また、支持材２と３との間の距離Ｗは、広くなるほどネット治具１の強度が低下するため、ネット治具１のブラケットへの取り付けが容易に行える範囲で狭い方が好ましく、１２０ｍｍ〜２００ｍｍ程度である。
【００２５】
本例においては、支持材３である角管の両側面にそれぞれ、取り付け金具としてカラビナ状のＣリング５が取り付けられている。尚、取り付け金具は角管の両側面の少なくとも一側面に取り付けられていれば良いが、図４に示すように、両側面にそれぞれ取り付けることにより、どちら側にも養生ネットを取り付けることができるため、係るネット治具１に養生ネットを取り付ける際に、ネット治具１の向きを考慮する必要が無く、有利である。また、取り付け金具は養生ネットが自重で垂れ下がらない程度に複数箇所でネット治具１に取り付けられれば良く、養生ネットの重さに応じて、支持材３の長さ方向に複数箇所取り付けておく。また、取り付け金具は、本例で用いたＣリング５に限定されるものではなく、養生ネットの取り付け及び取り外しが容易な部材であれば、好ましく用いられる。
【００２６】
連結材４としては、支持材２と３とを連結し、強度が高く、軽量であれば好ましく用いられ、例えば、厚さ６ｍｍ程度の鋼板などが用いられ、支持材２，３と溶接等によって接合される。また、支持材２，３の長手方向における連結材３の長さＬ２は、長い方がネット治具１の強度が高くなるが、ネット治具１自体の重さが増すため、ネット治具１のねじれや支持材２，３の撓みが防止できる範囲で短い方が好ましい。具体的には、Ｌ２＝１００ｍｍ〜２００ｍｍ程度の連結材４を、Ｐ＝７５０ｍｍ〜１２００ｍｍ程度のピッチで配置することが好ましい。
【００２７】
本発明のネット治具１は、図３に示すように、長手方向の両端部に連結板６を備えていることにより、複数のネット治具１を互いに連結して長さを延長することができる。連結板６は、図１、図３に示すように、ネット治具１の長手方向に直交する面を有するように溶接等で支持材２，３及び連結材４に固定される。尚、連結板６は、連結材４と同じ部材を用いてもよい。また、連結板６に接する、支持材２，３の両端部に配置する連結材４は、連結板６に接合されることで強度を増すため、その長さＬ３は、Ｌ２よりも短くしても良く、１／２まで短くしても良い。
【００２８】
係る連結板６には、該連結板６を貫通する取り付け孔６ａが設けられており、該取り付け孔６ａを介してボルト等により、二つのネット治具１の一方の一端の連結板６と、他方の他端の連結板６とを互いに固定して、ネット治具１の長さを２倍以上に延長することができる。また、連結後のネット治具１は容易に連結を解除することができるため、養生ネットの架設作業で用いる時以外は、コンパクトな状態で扱うことができ、保存、搬送時に嵩張らず、取り扱いが容易である。
【００２９】
本例のネット治具１の長さＬ１は、保存や搬送、取り扱いの容易性、連結及び連結解除の作業性を考慮して、具体的には、１５００ｍｍ〜４５００ｍｍ程度が好ましい。また、取り付ける柱間の距離に合わせて、例えば２０００ｍｍのネット治具１と４０００ｍｍのネット治具１とを組み合わせて用いてもよい。
【００３０】
次に、上記した本発明のネット治具を用いた、本発明の養生ネットの架設方法について説明する。
【００３１】
本発明は、上記した本発明のネット治具に養生ネットの一端を取り付ける工程と前後して、或いは平行して、建て込み前の柱の一端に、ネット治具を取り付けるためのブラケットを取り付ける。
【００３２】
図５は、ブラケット１２を取り付けた柱１１を模式的に示す図であり、図６（ａ）は該ブラケット１２を取り付けた部位の拡大図であり、図６（ｂ）は、ブラケット１２を取り付けた側から柱１１を見た図である。通常、高層ビルの躯体となる柱は、複数階分の長さを有しており、図５の柱１１は、Ｎ階の途中からＮ＋３階の途中までの３階分を備えている。ブラケット１２は、係る柱１１の一端に、該柱１１を建て込んだ後にネット治具の取り付け部位１２ａが該端部より高さ方向及び外側に突出するように取り付けられる。
【００３３】
尚、ブラケット１２にはネット治具が取り付けられるが、後述するように、ネット治具に取り付けた養生ネットを手すりに付け替えた後、ネット治具はブラケット１２から取り外される。よって、ブラケット１２についても、ネット治具を取り外した後は不要であるため、柱１１より取り外すことができるように、ネジやボルトなど、取り外し可能な手段で柱１１に取り付けておき、不要となって取り外したブラケット１２は再利用する。ブラケット１２は、養生ネットを取り付けたネット治具を取り付けた状態で、ネット治具を水平に保持することができればよく、その材料等は限定されない。よって、建設現場で用いられる鋼材等で適宜作製すればよい。
【００３４】
図７は、ブラケット１２を取り付けた柱１１を、先に建て込んだ柱１１’の上端に接続した状態を示す模式図である。紙面右側が作業領域の外側である。ブラケット１２はネット治具の取り付け部位１２ａが柱１１の上端から上方に向かって突出し、且つ、作業領域の外側になる側に突出する。また、柱１１の下方に位置する下層側の柱１１’の上端側には、Ｎ階の作業床１３が取り付けられており、該作業床１３は、柱１１’より外側に突出し、端部に仮設の手すり１４が取り付けられている。そして、手すり１４には養生ネット１５’が取り付けられている。
【００３５】
図７のように、ブラケット１２を取り付けた柱１１を建て込む工程と前後して、或いは平行して、上記した本発明のネット治具に養生ネットの一端を取り付ける。図１〜図３のネット治具１の場合には、Ｃリング５に養生ネットを取り付ける。
【００３６】
図８は、図１〜図３に例示したネット治具１に養生ネット１５を取り付け、自動玉外し装置３０を取り付けたクレーン（不図示）で吊り上げた状態を示す模式図である。尚、図８においては同じ構成の二つのネット治具１，１を連結して用いた状態を示す。図８において、養生ネット１５は、支持材３に取り付けたＣリング５に取り付けられており、支持材２に取り付けられたシャックル２１を自動玉外し装置３０の把持部材３１が掴持している。尚、図８中の３２は吊り上げ用チェーン、３３は操作ケーブル、３４は装置本体であり、内部に電源や制御装置が内蔵されている。
【００３７】
図８に示すように、本発明のネット治具１は、支持材２と３との間に間隙を有しているので、シャックル２１の位置を自由に選択することができ、連結したネット治具１，１の両端よりも中央よりにシャックル２１を取り付けることができる。よって、柱１１を建て込む際に、該柱１１の上端及び下端をそれぞれ吊り上げる自動玉外し装置３０をそのまま利用してネット治具１を吊り上げ、該ネット治具１を柱１１に手作業で取り付けた後、自動でシャックル２１から把持部材３１を外すことができる。
【００３８】
図９は、図８のようにして吊り上げたネット治具１を、柱１１の上端のブラケット１２の取り付け部位１２ａに取り付けた状態を示す模式図である。この後、図１０に示すように、柱１１の所定位置に梁（不図示）を取り付け、さらに、Ｎ階の作業床１３及び手すり１４と同様の作業床１３及び手すり１４をＮ＋１階〜Ｎ＋３階の各階に取り付けた後に、ネット治具１に取り付けていた養生ネット１５の上端を、ネット治具１から取り外してＮ＋３階の手すり１４に付け替える。よって、Ｎ＋３階の作業床１３が設けられる位置から取り付け部位１２ａまでの高さＨ１を、手すり１４の上端までの高さＨ２よりも高くなるように設定し、養生ネット１５の垂直方向の長さを、ネット治具１を取り付け部位１２ａに取り付けた状態で、下端が下層の養生ネット１５’に重なるような長さに設定する。尚、養生ネット１５の下端は、Ｎ階の手すり１４の内側に取り込み、適宜養生ネット１５’或いはＮ階の手すり１４に固定しておく。
【００３９】
図８に示したように、養生ネット１５をネット治具１に取り付け、ネット治具１の長手方向が水平になるようにクレーンで吊り上げて、該ネット治具１の両端を、柱１１に取り付けたブラケット１２の取り付け部位１２ａに手作業で取り付けることにより、図９に示すように、柱１１を含めた作業領域の外周が養生ネット１５で覆われる。ネット治具１のブラケット１２への取り付け手段は特に限定されないが、ネット治具１は、図１０に示すように、養生ネット１５をＮ＋３階の手すり１４に付け替えた後にブラケット１２より取り外すため、取り付け及び取り外しが容易なクランプ等の部材を用いることが好ましい。ネット治具１の支持材２として単管を用いた場合には、単管クランプを用いることができる。また、養生ネット１５を手すり１４に付け替えた後に不要となったネット治具１及びブラケット１２はそれぞれ取り外して、次の養生ネットの架設に用いられる。
【００４０】
尚、養生ネットを架設する際にクレーンで吊り上げる一つ或いは二つ以上を連結したネット治具及び該ネット治具に取り付けられた養生ネットの水平方向の長さについては、該ネット治具を取り付ける２本の柱の中心部の距離よりも長くしておくことにより、柱を含めた作業領域の外周を隙間無く養生ネットで覆うことができる。ビルの角部に位置する柱については、該角部を構成する柱の２面をそれぞれ養生ネットで覆うことになるが、少なくとも一方の面を覆う養生ネットとネット治具の角部側の端部を該角部から突出させ、二つのネット治具が突き当たらないように、取り付け位置を上下にずらせておく。そして、上記一方の養生ネットの角部側の端部をネット治具から外し、他方の側に重ねることで、角部において２枚の養生ネットの間に隙間が生じるのを防止することができる。また、水平方向に３本以上の柱が配列する場合においても、中央の柱に取り付けられる二つのネット治具の取り付け位置を上下でずらし、且つ、一方のネット治具及び養生ネットの水平方向の一端と他方のネット治具及び養生ネットの他端とが重なるようにすればよい。
【００４１】
上記のように、本発明の養生ネットの架設方法においては、柱の間隔が広い場合であっても、養生ネットを隙間無く、且つ自重による垂れ下がりを生じることなく架設することができる。また、本発明のネット治具は柱の建て込みに用いられる自動玉外し装置を用いて吊り上げることができ、特別な装置を必要としない。さらに、ネット治具の柱からの取り外しも容易である。よって、本発明によれば、簡易な作業によって、梁を柱に取り付ける前に柱を含む作業領域の周囲を養生ネットで囲み、飛来落下による事故の発生を防止することができる。
【符号の説明】
【００４２】
１：ネット治具、２，３：支持材、４：連結材、４：連結板、５：Ｃリング、６：連結板、６ａ：取り付け孔、１１，１１’：柱、１２：ブラケット、１２ａ：取り付け部位、１３：作業床、１４：手すり、１５，１５’：養生ネット、２１：シャックル、３０：自動玉外し装置、３１：把持部材、３２：吊り上げ用チェーン、３３：操作ケーブル、３４：装置本体
【図１】
2018131759.tif 000003
【図２】
2018131759.tif 000004
【図３】
2018131759.tif 000005
【図４】
2018131759.tif 000006
【図５】
2018131759.tif 000007
【図６】
2018131759.tif 000008
【図７】
2018131759.tif 000009
【図８】
2018131759.tif 000010
【図９】
2018131759.tif 000011
【図１０】
2018131759.tif 000012
【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
所定の距離を介して互いに平行な２本の棒状の支持材と、前記支持材の両端部及び前記両端部間の少なくとも１箇所に取り付けられた、前記２本の支持材を互いに連結する連結材と、を有する長尺のネット治具の長手方向にそって、前記２本の支持材の一方に養生ネットの一端を取り付ける工程と、
建て込み前の柱の長手方向の一端にブラケットを取り付ける工程と、
前記ブラケットを取り付けた前記柱を、前記ブラケットが上端側に位置するように建て込む工程と、
前記養生ネットを取り付けた前記ネット治具を、長手方向が水平で前記養生ネットを取り付けた前記一方の支持材が下方に、他方の支持材が上方になるように配置して、前記他方の支持材にシャックルを取り付けてクレーンで吊り上げ、前記ネット治具の両端をそれぞれ前記柱の上端に取り付けられた前記ブラケットに取り付ける工程と、
を有することを特徴とする養生ネットの架設方法。
【請求項２】
前記ネット治具は、長手方向の両端部に、前記長手方向に直交する面を有する連結板が取り付けられていることを特徴とする請求項１に記載の養生ネットの架設方法。
【請求項３】
前記ネット治具は、前記一方の支持材が単管パイプ、他方の支持材が角管であり、前記角管の両側面の少なくとも一側面に、長手方向に沿って複数箇所、前記養生ネットの取り付け金具が取り付けられていることを特徴とする請求項１又は２に記載のネット治具。
【手続補正３】
【補正対象書類名】明細書
【補正対象項目名】００１３
【補正方法】変更
【補正の内容】
【００１３】
本発明の第一は、所定の距離を介して互いに平行な２本の棒状の支持材と、前記支持材の両端部及び前記両端部間の少なくとも１箇所に取り付けられた、前記２本の支持材を互いに連結する連結材と、を有する長尺のネット治具の長手方向にそって、前記２本の支持材の一方に養生ネットの一端を取り付ける工程と、
建て込み前の柱の長手方向の一端にブラケットを取り付ける工程と、
前記ブラケットを取り付けた前記柱を、前記ブラケットが上端側に位置するように建て込む工程と、
前記養生ネットを取り付けた前記ネット治具を、長手方向が水平で前記養生ネットを取り付けた前記一方の支持材が下方に、他方の支持材が上方になるように配置して、前記他方の支持材にシャックルを取り付けてクレーンで吊り上げ、前記ネット治具の両端をそれぞれ前記柱の上端に取り付けられた前記ブラケットに取り付ける工程と、
を有することを特徴とする養生ネットの架設方法である。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
上記本発明においては、下記の構成を好ましい態様として含む。
前記ネット治具は、長手方向の両端部に、前記長手方向に直交する面を有する連結板が取り付けられていること。
前記ネット治具は、前記２本の支持材の一方が単管パイプ、他方が角管であり、前記角管の両側面の少なくとも一側面に、長手方向に沿って複数箇所、前記養生ネットの取り付け金具が取り付けられていること。
【手続補正６】
【補正対象書類名】明細書
【補正対象項目名】００２６
【補正方法】変更
【補正の内容】
【００２６】
連結材４としては、支持材２と３とを連結し、強度が高く、軽量であれば好ましく用いられ、例えば、厚さ６ｍｍ程度の鋼板などが用いられ、支持材２，３と溶接等によって接合される。また、支持材２，３の長手方向における連結材４の長さＬ２は、長い方がネット治具１の強度が高くなるが、ネット治具１自体の重さが増すため、ネット治具１のねじれや支持材２，３の撓みが防止できる範囲で短い方が好ましい。具体的には、Ｌ２＝１００ｍｍ〜２００ｍｍ程度の連結材４を、Ｐ＝７５０ｍｍ〜１２００ｍｍ程度のピッチで配置することが好ましい。